(57)【要約】【課題】  まつ毛全体だけでなく細かい部分にも美容液を塗布することができ、かつ、汚れを拭き取ったり洗浄したりするのが容易なまつ毛美容液用スパチュラを提供することを目的とする。【解決手段】  把手２０と、三日月状に湾曲し可撓性を有するポリエチレン又は熱可塑性ポリウレタン樹脂からなるスパチュラ部１０と、を有するまつ毛美容液用スパチュラ１００であって、スパチュラ部１０は、湾曲部１１と、湾曲部１１に連設する先端部１２とを有し、その先端部１２は、三日月状の内弧側と外弧側とにそれぞれ先端面１２ａ，１２ｂを備え、その先端面１２ａ，１２ｂの幅は最先端に向かって狭くなっているものとする。【選択図】    図２
2017006291.tif 000002
【特許請求の範囲】
【請求項１】
把手と、三日月状に湾曲し可撓性を有するポリエチレン又は熱可塑性ポリウレタン樹脂からなるスパチュラ部と、を有するまつ毛美容液用スパチュラであって、
前記スパチュラ部は、湾曲部と、前記湾曲部に連設する先端部とを有し、
前記先端部は、三日月状の内弧側と外弧側とにそれぞれ先端面を備え、前記先端面の幅は最先端に向かって狭くなっていることを特徴とするまつ毛美容液用スパチュラ。
【請求項２】
前記内弧側の先端面と前記外弧側の先端面の少なくとも一方の面が、平面であることを特徴とする請求項１に記載のまつ毛美容液用スパチュラ。
【請求項３】
前記スパチュラ部の長さが、２５ｍｍ以上３５ｍｍ以下であることを特徴とする請求項１又は請求項２に記載のまつ毛美容液用スパチュラ。
【発明の詳細な説明】
【技術分野】
【０００１】
本発明は、まつ毛美容液の塗布に用いるまつ毛美容液用スパチュラに関する。
【背景技術】
【０００２】
まつ毛は、顔の印象を大きく変える要因となり得ることから、特に女性にとって、まつ毛美容は欠かせないものとなっている。まつ毛美容の方法としては、強く濃いまつ毛にするために、美容液をまつ毛の根本等に塗布する手入れが広く行われている。
【０００３】
美容液をまつ毛に塗布する際には、専用のブラシやスパチュラ（へら）が用いられる。ブラシは、美容液を十分に含ませることができ、また、まつ毛を梳かしながら美容液を塗布することができるので、広く用いられている。
【０００４】
しかし、ブラシの場合、まつ毛の根本のような細かい部分への塗布作業には向いておらず、また、ブラシに付いた汚れを拭き取りにくいため、あまり衛生的ではないという欠点を有している。また、従来のへら形状の場合は、細かい部分には比較的塗りやすいのだが、へらの面積が狭いので一度に美容液を塗布することができる量が少なく、まつ毛全体に塗布するためには、何度も美容液に浸さなければならないことになる。
【０００５】
特許文献１に記載のアプリケータ（スパチュラ）では、キャビティと呼ばれる溝を備えるものが開示されている。図４は、キャビティを有するまつ毛美容液用スパチュラの図である。このアプリケータ５０では、２つの壁５１によって挟まれた溝をキャビティ５２といい、このキャビティ５２に多量の美容液を含ませることができるので、一度で十分な量の美容液を塗布することができるという利点がある。また、アプリケータ５０全体が湾曲したものであれば、一度でまつ毛全体に美容液を塗布することも可能である。しかし、この形状では細かい部分に塗布することは難しいという欠点がある。また、汚れを拭き取ったり、洗浄したりするのも煩雑である。
【先行技術文献】
【特許文献】
【０００６】
【特許文献１】特開２００４−２２３２６６号
【発明の概要】
【発明が解決しようとする課題】
【０００７】
これらの実情に鑑み、本発明では、まつ毛全体だけでなく細かい部分にも美容液を塗布することができ、かつ、汚れを拭き取ったり洗浄したりすることが容易なまつ毛美容液用スパチュラを提供することを目的とする。
【課題を解決するための手段】
【０００８】
本発明のまつ毛美容液用スパチュラは、把手と、三日月状に湾曲し可撓性を有するポリエチレン又は熱可塑性ポリウレタン樹脂からなるスパチュラ部と、を有するまつ毛美容液用スパチュラであって、スパチュラ部は、湾曲部と、湾曲部に連設する先端部とを有し、その先端部は、三日月状の内弧側と外弧側とにそれぞれ先端面を備え、その先端面の幅は最先端に向かって狭くなっているものとする。
【０００９】
ここで、内弧側の先端面と外弧側の先端面の少なくとも一方の面を平面にしてもよい。また、スパチュラ部の長さが、２５ｍｍ以上３５ｍｍ以下であることにするとよい。
【発明の効果】
【００１０】
本発明のまつ毛美容液用スパチュラを用いれば、湾曲部でまつ毛全体に美容液を塗布することができ、かつ、先端部でまつ毛の根本等のピンポイントに美容液を容易に塗布することができるという効果を奏する。さらに、汚れを拭き取ったり、洗浄したりするのも容易なので、衛生的であるという効果も奏している。
【図面の簡単な説明】
【００１１】
【図１】本発明のまつ毛美容液用スパチュラの全体図である。
【図２】スパチュラ部の（ａ）正面図、（ｂ）平面図、（ｃ）斜視図である。
【図３】本発明のまつ毛美容液用スパチュラを使った塗布状況を示す図であって、（ａ）はスパチュラ部全体を使う場合、（ｂ）は先端部を使う場合である。
【図４】キャビティを有するまつ毛美容液用スパチュラの図である。
【発明を実施するための形態】
【００１２】
以下、本発明の実施の形態を、添付図面を参照して説明する。
【００１３】
図１は、本発明のまつ毛美容液用スパチュラの全体図である。また、図２は、スパチュラ部の（ａ）正面図、（ｂ）平面図、（ｃ）斜視図である。本発明のまつ毛美容液用スパチュラ１００は、三日月形状に湾曲し可撓性を有するポリエチレン又は熱可塑性ポリウレタン樹脂からなるスパチュラ部１０と、把手２０を接続したものである。まつ毛美容液は容器に入っており、把手２０は基本的にはその容器の口に螺合する蓋を兼ねたものである。したがって、スパチュラ部１０は、使用しないときは美容液に浸漬されていて、美容液を塗布するときに容器から引き出して使用されるものである。
【００１４】
スパチュラ部１０は、ポリエチレン又は熱可塑性ポリウレタン樹脂からなり可撓性を有するものである。スパチュラ部１０をこのような樹脂製にすることで、使用後に拭き取ったり、洗浄したりすることが容易にできて、衛生的である。可撓性については、適度な硬さを有しながら、スパチュラ部１０の先端をまつ毛の根本に押し付けるときに、恐怖感を感じさせない程度の柔らかさを有するくらいがよい。なお、柔らかすぎても塗布しにくくなるので、具体的な硬度としては、９０ショアＡ程度がよい。
【００１５】
スパチュラ部１０は、三日月状に湾曲した湾曲部１１と先端部１２を滑らかに連設した形状をしている。三日月状に湾曲していることで、内弧側１１ａに美容液を溜めやすい構造となっている。また、湾曲部１１が、まつ毛の生え際に沿ったカーブ具合に湾曲していることで、まつ毛全体にひと塗りで美容液を塗布することを可能としている。なお、先端部１２を使ってまつ毛の根本部分に美容液を塗布したり、なだらかな形状の湾曲部１１の外弧側１１ｂを使って塗布することもできる。
【００１６】
スパチュラ部１０は、凡そ目の幅の長さで、前述したようにまつ毛の生え際に沿ったカーブ具合に湾曲しているものとする。ここで、目の幅やカーブの具合は、各個人によって多少は異なるのだが、一般的な目の幅は３０ｍｍ程度であることから、スパチュラ部１０の長さＬは２５ｍｍ以上で３５ｍｍ以下にするのが適しているといえる。
【００１７】
スパチュラ部１０は湾曲部１１に連設して先端部１２が形成されている。先端部１２は、湾曲部１１の内弧側１１ａと外弧側１１ｂとに、それぞれ滑らかに連設する内弧側と外弧側の二つの先端面１２ａ，１２ｂを備え、先端部１２の最先端はこの二つの先端面１２ａ，１２ｂが滑らかに丸く繋いだ形状をしている。ここで、二つの先端面１２ａ，１２ｂは、湾曲部１１の内弧側１１ａ及び外弧側１１ｂの湾曲形状と同様の曲率の曲面でもよいし、湾曲部１１の内弧側１１ａ及び外弧側１１ｂに滑らかに連設する平面でもよいし、一方を平面、他方を曲面としてもよい。
【００１８】
また、図２（ｂ）の矢印に示すように、先端面１２ａ，１２ｂは、スパチュラ部１０の最先端に向かって幅が狭くなる形状とする。最先端の幅を狭くすることで、まつ毛の根本などの細かい部分への美容液の塗布をより容易にすることができる。
【００１９】
図３は、本発明のまつ毛美容液用スパチュラを使った塗布状況を示す図であって、（ａ）はスパチュラ部全体を使う場合、（ｂ）は先端部を使う場合である。図３（ａ）は目を正面から見た図であって、図３（ｂ）は目を横方向から見た図である。
【００２０】
スパチュラ部１０は、まつ毛の生え際に沿ったカーブ具合の湾曲形状であることから、図３（ａ）に示すように、湾曲部１１全体を使って、ひと塗りでまつ毛３０全体に美容液を塗布することを可能とする。
【００２１】
また、まつ毛３０の根本のような細かい場所に塗布したい場合には、図３（ｂ）のように、先端部１２を利用すればよい。なお、このとき湾曲部１１を有することで、先端部１２以外の部分がまつ毛３０に接触することを避けることができ、細かい作業がし易いという利点がある。
【００２２】
以上の通り、本発明のまつ毛美容液用スパチュラを用いれば、まつ毛全体から細かい部分まで美容液の塗布作業を容易にし、また、使用後には、容易に拭いたり洗浄したりできて衛生的であるという効果を奏することができる。
【符号の説明】
【００２３】
１０    スパチュラ部
１１    湾曲部
１１ａ  内弧側
１１ｂ  外弧側
１２    先端部
１２ａ  先端面（内弧側）
１２ｂ  先端面（外弧側）
２０    把手
１００  まつ毛美容液用スパチュラ
【図１】
2017006291.tif 000003
【図２】
2017006291.tif 000004
【図３】
2017006291.tif 000005
【図４】
2017006291.tif 000006